(57)【特許請求の範囲】
【請求項１】
自動車ボディ（２）の開口縁部に沿って取付けられるウエザーストリップであって、閉ループ状のウエザーストリップ本体（１０）と、前記ウエザーストリップ本体の少なくとも一箇所に，該ウエザーストリップ本体を前記ボディに取付ける際の位置決めとして，取り外し自在に設けられた位置決めピン（２０ａ）を備え、前記位置決めピンを，頭部（２１）と軸部（２２）と係止部（２３）とを備え，前記ウエザーストリップ本体に突き刺して固定する位置決めピンとしたことを特徴とする自動車用ウエザーストリップ。
【発明の詳細な説明】
【技術分野】
【０００１】
本発明は、自動車ボディのドア開口縁部，主にはバックドア開口縁部やトランクルーム開口縁部などの開口縁部に沿って取付けられる閉ループ状のウエザーストリップに関するものである。
【背景技術】
【０００２】
図１および図２を参照して説明する。図中、二等辺三角形の頂点から底辺へおろした垂線の一方側を塗潰した記号を用いているが、これは塗潰し側が型成形部Ｅを、非塗潰し側が押出成形部Ｆを表わしている。自動車のボディ２に形成されたバックドア開口部５やトランクルーム開口部の周縁部（開口縁部）には、バックドア４やトランクリッドとの間のシール性を確保するためにウエザーストリップ３０が取付けられている。このウエザーストリップ３０は、通常、連続する単一断面の押出成形部Ｆをループ状にして切れっぱなしの両側の端面同士を型成形部Ｅを介して連結しただけの加工となっており、バックドア開口部５やトランクルーム開口部の形状に対応して取付けられており、従って、通常、左右対称で閉ループ状である。
【０００３】
こうした左右対称で閉ループ状のウエザーストリップ３０は、例えば、従来のフロントドア開口縁部に取付けられる左右非対称のものと異なり、取付け時に位置決めとなる部分が存在しない。そのため、これまでは、図２に示すように、ウエザーストリップ３０の表面にマーカーペンなどでペイントマーキング３１を印し、このペイントマーキング３１を取付け時における位置決め箇所としていた。
【先行技術文献】
【特許文献】
【０００４】
【特許文献１】実開平０３−１０４４５６号公報
【発明の概要】
【発明が解決しようとする課題】
【０００５】
しかし、ウエザーストリップ３０に印したペイントマーキング３１は、ウエザーストリップ３０を梱包したり輸送する際に、作業者の手や他の製品との擦れによって剥がれ落ちてしまい易い。そのため、ウエザーストリップ３０を取付ける際に、正確な位置合わせができないといった問題がある。
【０００６】
本発明はこうした問題に鑑み創案されたもので、梱包や輸送中などの取扱中に剥がれ落ちることのない位置決め部材を備えた、自動車用のウエザーストリップを提供することを課題とする。
【課題を解決するための手段】
【０００７】
図１および図３乃至図８を参照して説明する。請求項１に記載の自動車用ウエザーストリップ１は、自動車ボディ２の開口縁部に沿って取付けられるものであり、閉ループ状のウエザーストリップ本体１０と、前記ウエザーストリップ本体１０の少なくとも一箇所に、当該ウエザーストリップ本体１０を前記ボディ２に取付ける際の位置決めとして、取り外し自在に設けられた位置決めピン２０ａとを備える。
【０００８】
また、前記位置決めピン２０ａは、頭部２１と軸部２２と係止部２３とを備え、前記ウエザーストリップ本体１０に突き刺して固定するものである。
【発明の効果】
【０００９】
請求項１に記載の自動車用ウエザーストリップ１は、閉ループ状のウエザーストリップ本体１０の少なくとも一箇所に位置決めピン２０ａを設けたので、その位置決めピン２０ａを自動車ボディ２の所定箇所に突き合わせることによって、当該ウエザーストリップ１をボディ２に正確に取付けることができる。
【００１０】
また、この位置決めピン２０ａは、梱包や搬送の際に作業者の手や、他の製品と擦れることがあっても、従来のペイントマーキングのように剥がれ落ちることがない。従って、常に、ウエザーストリップ１をボディ２に正確に取付けることができる。
【００１１】
さらに、この位置決めピン２０ａは、ウエザーストリップ本体１０に取り外し自在に設けているので、ウエザーストリップ１をボディ２に取付けた後は、容易に取り除くことができる。これにより、位置決めピン２０ａによってウエザーストリップ１のシール機能を低下させることがない。
【００１２】
また、このウエザーストリップ１は、位置決めピン２０ａを、頭部２１と軸部２２と係止部２３とを備えた、ピン形状にしているので、ウエザーストリップ本体１０に容易に突き刺して固定することができると共に、容易に取り外すこともできる。従って、その作業を極めて容易行うことができ、作業性が向上する。また、取り外した位置決めピン２０ａは繰り返し使用することができるので、経済性にも優れる。
【図面の簡単な説明】
【００１３】
【図１】自動車のバックドア開口部に設けられたウエザーストリップを示す正面図（背面図）である。
【図２】従来例に係るウエザーストリップを示す要部斜視図である。
【図３】本発明の一実施形態に係るウエザーストリップを示す要部斜視図である。
【図４】本発明の一実施形態に係るウエザーストリップを示す要部断面図である。
【図５】本発明の他の実施形態に係るウエザーストリップを示す要部断面図である。
【図６】本発明のさらに他の実施形態に係るウエザーストリップを示す要部断面図である。
【図７】本発明に係るウエザーストリップの位置決めピンの一形態を示す断面図である。
【図８】本発明に係るウエザーストリップの位置決めピンの他の形態を示す断面図である。
【発明を実施するための形態】
【００１４】
本発明に係る自動車用ウエザーストリップ１の実施形態を、図１、図３乃至図８に示す。図中、Ｇは車外側を、Ｈは車内側を示す。このウエザーストリップ１は、自動車ボディ２のバックドア４を配置する箇所に設けた開口部の周縁部に沿って形成したフランジ３に取付けられるものであり、ウエザーストリップ本体１０と位置決めピン２０ａを備える。ウエザーストリップ本体１０はゴムまたは樹脂製であり、また、位置決めピン２０ａは、硬質ゴム製、硬質樹脂製あるいは金属製とすることができる。
【００１５】
ウエザーストリップ本体１０は、その正面形状においては、上辺部１０ａ、下辺部１０ｂ、左辺部１０ｃおよび右辺部１０ｄを備えた左右対称の閉ループ状である（図１参照）。また、その断面形状においては、取付基部１１、中空シール部１２、車内リップ１３および車外リップ１４を備えた形状である。これは、同一の断面が連続した一本の紐状のウエザーストリップ押出成形部Ｆを、その両端末を金型成形部Ｅ，熱融着，接着剤又は，連結補助パーツによりループ状に加工してある。
【００１６】
取付基部１１は、奥壁部１１ａ、車外壁部１１ｂおよび車内壁部１１ｃを備え、フランジ３に組付く断面略Ｕ字状であり、フランジ３に強固に取付けるために断面Ｕ字状の芯材１１ｄを埋設している。また、車外壁部１１ｂと車内壁部１１ｃの内面側のそれぞれには、フランジ３に強く弾接する二つの取付リップ１６を一体成形している。また、奥壁部１１ａと車外壁部１１ｂの内面側には、フランジ３との間のシール性を確保するための接着剤系又は、低比重（比重０．０５〜０．４）のシール材１５を設けている。
【００１７】
中空シール部１２は、取付基部１１の奥壁部１１ａの外面側に一体成形され、バックドア４に弾接してそのシール機能を発揮する。車内リップ１４は、車内壁部１１ｃの表面側に一体成形され図示しない内装材の端部を覆う、又は該端部に潜り込み意匠性を高める。車外リップ１３は、車外壁部１１ｂの表面側に一体成形され、ボディアウターパネル６に弾接し、シール性を高めている。
【００１８】
そして、図３、図４の実施形態においては位置決めピン２０ａを、ウエザーストリップ本体１０の上辺部１０ａにおける仮想鉛直中心線Ｌ上の左右中間点Ｐにおいて、当該ウエザーストリップ本体１０の車内リップ１４に取付けている。図７、図８に示す如くこの位置決めピン２０ａは、最も大径である半球形状の頭部２１と、最も小径である円柱形状の軸部２２と、その間の外径を有するくさび形状の係止部２３とで構成し、車内リップ１４の車内側面から係止部２３を突き刺して取付けている。
【００１９】
従って、ウエザーストリップ本体１０に取付けた後は、車内側面に露出している頭部２１が位置決めのために機能する。この位置決めピン２０ａは、黒色であってもよいが少なくとも頭部２１をウエザーストリップ本体１０の色（黒）とは異なる色（例えば、白や赤）に設定し、位置決め機能が効果的に発揮できるように設定するのが好ましい。
【００２０】
ウエザーストリップ１をフランジ３に取付けた後は、当該位置決めピン２０ａはその役目を終えるため、突き刺した方向とは逆の方向に引き抜くことによって容易にウエザーストリップ本体１０から取り外すことができる。なお、取り外すことなく、突き刺したままの状態とすることも可能である。
【００２１】
本実施形態に係る自動車用ウエザーストリップ１は、左右対称で閉ループ状のウエザーストリップ本体１０の左右中間点Ｐに位置決めピン２０ａを設けているので、その位置決めピン２０ａを自動車ボディ２の所定箇所（例えば目印となる部位や予め設けられた目印）に突き合わせることによって、当該ウエザーストリップ１をボディ２に正確に取付けることができる。
【００２２】
また、この位置決めピン２０ａは、ウエザーストリップ本体１０とは別個の部材であるため、梱包や搬送の際に作業者の手や、他の製品と擦れることがあっても剥がれ落ちることがない。従って、位置決めの部材として効果的に機能することができ、ウエザーストリップ１をボディ２に常に正確に取付けることができる。
【００２３】
さらに、この位置決めピン２０ａは、ウエザーストリップ本体１０に取り外し自在に設けられているので、ウエザーストリップ１をボディ２に取付けた後は、容易に取り除くことができる。従って、位置決めピン２０ａが、何らかの外的作用によってウエザーストリップ１のシール機能を低下させるという事態も発生しない。
【００２４】
また、このウエザーストリップ１は、位置決めピン２０ａを、頭部２１と軸部２２と係止部２３とを備えた、いわゆるピン形状の位置決めピン２０ａとしているので、ウエザーストリップ本体１０に容易に突き刺して固定することができると共に、容易に取り外すこともできる。従って、その作業を極めて容易に行うことができ、作業性が向上する。また、取り外した位置決めピン２０ａは繰り返し使用することができるので、経済性にも優れる。
【００２５】
なお、上記実施形態においては、図１のように位置決めピン２０ａを、ウエザーストリップ本体１０の上辺部１０ａの左右中間点Ｐに設けているが、当該箇所に限定されるものではない。また、この位置決めピン２０ａは、車内リップ１４に取付けているが、この部位に限定されるものではなく、例えば、中空シール部１２の車内側部分（図５参照）や、車外リップ１３（図６参照）に取付けることもできる。
【００２６】
また、上記実施形態における位置決めピン２０ａは、上記形状に限定されるものではない。従って、例えば、頭部２１を、平板状、球状あるいは角柱状に形成したり、係止部２３の軸部２２との接合面を円弧面２３ａに形成することができる（図８参照）。円弧面２３ａを形成することで、位置決めピン２０ａの取り外しを、より容易に行うことができるといった利点がある。
【００２７】
なお、位置決めピン２０ａは、ホッチキスで止めた針のように、ウエザーストリップを部分的に貫通して折り返され、容易に取外しできない機能を保有していたり、タブ取付け機で止めたタブのように簡単に外せないものは好ましくない。取り外しが容易であるといった機能性が必要である。
【００２８】
上記実施形態は、バックドア開口部５の周縁部に取付けているが、本発明に係るウエザーストリップ１は、トランクルーム開口縁部に取付けられる左右対称又は上下対称で閉ループ状のウエザーストリップにも適用することができる。また、サンルーフ開口縁部など、他の開口縁部にも取付け可能である。
【００２９】
更に、本発明は左右対称の開口縁部へ取付けるウエザーストリップに限定されず、バックドアであっても左右対称でない開口縁部にも適用される。このような場合は、予め取付け側に目印が設定されており、その目印と位置決め部材２０を相応させることで、安定した組付け品質が保てる。
【００３０】
また、本発明は上記した以外のいかようなウエザーストリップへも適用可能であり、特に断面が単一で、組付け前のウエザーストリップの正面視における外形に特徴が無い場合に大きな効果があり、例えば車両の側面のドア（例えば人乗降口）へも可能である。また、一つのウエザーストリップに１ヶ所のみでなく複数設けることもでき、複数の目印との相応により、さらに設計とおりの設置を可能とする。
【符号の説明】
【００３１】
１          ウエザーストリップ
２          ボディ
３          フランジ
４          バックドア
５          バックドア開口部
６          ボディアウターパネル
１０        ウエザーストリップ本体
１０ａ      上辺部
１０ｂ      下辺部
１０ｃ      左片部
１０ｄ      右辺部
１１        取付基部
１１ａ      奥壁部
１１ｂ      車内壁部
１１ｃ      車外壁部
１１ｄ      芯材
１２        中空シール部
１３        車外リップ
１４        車内リップ
１５        シール材
１６        取付リップ
２０ａ      位置決めピン
２１        頭部
２２        軸部
２３        係止部
２３ａ      円弧面
３０        ウエザーストリップ
３１        ペイントマーキング
Ｅ          型成形部
Ｆ          押出成形部
Ｇ          車外側
Ｈ          車内側
Ｌ          仮想中心線
Ｐ          左右中間点
【図１】
0005649351.tif 000002
【図２】
0005649351.tif 000003
【図３】
0005649351.tif 000004
【図４】
0005649351.tif 000005
【図５】
0005649351.tif 000006
【図６】
0005649351.tif 000007
【図７】
0005649351.tif 000008
【図８】
0005649351.tif 000009